(57)【要約】【課題】蓋体を蓋体の被取付け面との間に隙間を生じることなく取付けできて、取付け後は簡単には外れない着脱可能な蓋体の取付け構造を提供する。【解決手段】係止片１２を内設した一対の枠体１１からなるケーシング部１と、平断面エの字型の係合部２と、蓋体取付けベース３とからなる蓋体の取付け構造Ａであって、上記係合部２の一端は該枠体１１と係合する係合端２１とし、他端は面ファスナー４の一方の構成体４１が植設された支持端２２とするとともに、上記蓋体取付けベース３には、上記係合部２の支持端２２と着脱自在に面結合するように面ファスナー４の他方の構成体４２が植設されていることを特徴とする。【選択図】図２
2005176882.tif 000002
【特許請求の範囲】
【請求項１】
係止片を内設した一対の枠体からなるケーシング部と、平断面エの字型の係合部と、蓋体取付けベースとからなる蓋体の取付け構造であって、上記係合部の一端は該枠体と係合する係合端とし、他端は面ファスナーの一方の構成体が植設された支持端とするとともに、上記蓋体取付けベースには、上記係合部の支持端と着脱自在に面結合するように面ファスナーの他方の構成体が植設されていることを特徴とする蓋体の取付け構造。
【請求項２】
上記係止片が金属バネ弾性を有する平断面くの字型の弾性係止片である請求項１に記載の蓋体の取付け構造。
【請求項３】
上記蓋体取付けベースが平面略正方形であるとともに、浴室ユニットの点検口を覆う蓋体の裏面の複数個所に固定された請求項１に記載の蓋体の取付け構造。
【発明の詳細な説明】
【技術分野】
【０００１】
本発明は、蓋体の取付け構造に関する。さらに詳しくは、浴室ユニット等のカウンタにおける点検口等、開口部を覆う蓋体の取付け構造に関する。
【背景技術】
【０００２】
浴室ユニット等においては、一般的に配管の接続、メンテナンス等のために作業用点検口が設けられており、この点検口は、点検時のみ蓋体を開き、通常は蓋体で覆われた状態となっている。通常、蓋体は、上記点検口の周囲の被取付け面にブッシュやクリップ等を用いて開閉自在に取付けられ、これに関しては既に、種々の先行技術が開示されている。
【特許文献１】特開平９−３２７４１３号公報（第１−３頁、第２図）
【特許文献２】特開平９−１５４７５７号公報（第１−３頁、第２図）
【特許文献３】実開平５−６３３９３号公報（第１−３頁、第２図）
【発明の開示】
【発明が解決しようとする課題】
【０００３】
しかしながら、ブッシュやクリップ等を用いて固定した場合は、寸法誤差や、点検口の周囲の被取付け面と蓋体との間に隙間が発生し易く、ガタツキが生じるという問題がある。また、外部からの小さな衝撃により簡単に蓋体が外れるという問題もある。本発明は、このような問題を解決して、蓋体と蓋体の被取付け面との間に隙間が生じることなく、ぴったりと取付けることができるとともに、取付け後は簡単に外れることのない着脱可能な蓋体の取付け構造を提供することをその課題とする。
【課題を解決するための手段】
【０００４】
本発明は、上記課題を解決するために考え出されたものであって、つぎのような技術的手段を講じている。すなわち、本発明によれば、係止片を内設した一対の枠体からなるケーシング部と、平断面エの字型の係合部と、蓋体取付けベースとからなる蓋体の取付け構造であって、上記係合部の一端は該枠体と係合する係合端とし、他端は面ファスナーの一方の構成体が植設された支持端とするとともに、上記蓋体取付けベースには、上記係合部の支持端と着脱自在に面結合するように面ファスナーの他方の構成体が植設されていることを特徴とする蓋体の取付け構造が提供される。
【０００５】
上記係止片が金属バネ弾性を有する平断面くの字型の弾性係止片であることが好ましい。また、上記蓋体取付けベースが平面略正方形であるとともに、浴室ユニットの点検口を覆う蓋体の裏面の複数個所に固定されることが好ましい。通常、蓋体の裏面の隅部分の４個所に固定される。
【発明の効果】
【０００６】
請求項１に記載の発明は上記のとおりであり、とくに、上記係合部の一端は該枠体と係合する係合端とし、他端は面ファスナーの一方の構成体が植設された支持端とするとともに、上記蓋体取付けベースには、上記係合部の支持端と着脱自在に面結合するように面ファスナーの他方の構成体が植設されているため、点検口等、開口部の中を見る必要がある場合は、容易に蓋体を外すことができるとともに、再び、面ファスナーにより蓋体を結合して開口部を覆うことができる。
【０００７】
上記係止片が金属バネ弾性を有する平断面くの字型の弾性係止片とされているため、上記弾性係止片と係合部の係合端とがバネの弾性力により強力に弾接し、蓋体を被取付け面との間に隙間を生じることなく、しっかりと保持することができる。
【０００８】
上記蓋体取付けベースが平面略正方形であるとともに、浴室ユニットの点検口を覆う蓋体の裏面の複数個所に固定されるため、上記点検口等の開口部を着脱自在かつ容易に覆うことができる。
【発明を実施するための最良の形態】
【０００９】
以下、本発明の実施形態について図面を参照して、詳細に説明する。図１は、本発明にかかる蓋体の取付け構造Ａを示す分解斜視図である。図１からよくわかるように、上記蓋体の取付け構造Ａは、ケーシング部１と平断面エの字型の係合部２と蓋体取付けベース３とからなり、ケーシング部１は、一対の枠体１１からなるとともに、各枠体１１には金属バネ弾性を有する弾性係止片１２が内設されている。上記係合部２の一端は、上記枠体１１の前端部１１１と弾性係止片１２との間に嵌挿される係合端２１とされ、他端は、支持端２２とされている。
【００１０】
図１からよくわかるように、上記支持端２２と蓋体取付けベース３との対向面には、面ファスナー４としてマジックテープ（登録商標）が取付けられている。図１において、支持端２２には面ファスナーの一方の構成体４１であるループを植設した面が取付けられ、蓋体取付けベース３には面ファスナーの他方の構成体４２であるフックを植設した面が取付けられている。
【００１１】
図５は、蓋体取付けベース３を蓋体５の裏面の四隅にそれぞれ取付け、浴室ユニットの点検口６の周囲の被取付け面７にケーシング部１を取付けるとともに、係合部２を介して蓋体５を保持した状態を示す斜視図である。図２は蓋体５を取付ける直前の状態を示す部分平断面図であり、蓋体５が面ファスナー４によって着脱自在に面結合できることを示している。
【００１２】
図２からよくわかるように、点検口６の周囲の被取付け部７にビスＢで固定された枠体１１の前端部１１１と弾性係止片１２との間に上記係合部２の係合端２１が嵌挿されている。一方、蓋体取付けベース３は、蓋体５に接着、ビス留め等、適当な手段で固定され、その支持端２２側には面ファスナー４の他方の構成体４２であるフック植設面が取付けられている。一方、上記支持端２２は面ファスナーの一方の構成体４１であるループ植設面を備えているため、蓋体取付けベース３と係合部２の支持端２２とは着脱自在に結合することができる。
【００１３】
図３は、上記面ファスナー４のそれぞれの構成体４１、４２を噛み合わせ、面結合した状態を示す側断面図であり、図３においては、蓋体５によって点検口６は覆われているものの、蓋体５と被取付け面７との間には、隙間がある状態を示している。さらに、蓋体５を弾性係止片１２の反発力に抗して押し込むと、図４に示すように係合端２１が弾性係止片１２を乗り越えた状態となる。図４において、蓋体取付けベース３に固定された蓋体５は、面ファスナー４を介して係合部２の支持端２２に結合されるとともに、弾性係止片１２の金属バネ弾性力によって、蓋体５の開口縁が被取付け面７に強力に弾接される。その結果、蓋体５は、被取付け面７との間に隙間を生じることなく、しっかりと保持される。
【００１４】
なお、図５においては、本発明の蓋体の取付け構造Ａが４個用いられているが４個に限られずその数を増やせば、さらに強力に蓋体５を取付けることができる。また、上記は浴室ユニットのカウンターの点検口に上記取付け構造Ａを適用した場合について説明したが、これに限られず、浴室ユニットの小物収納部のカバー、あるいは浴室ユニット以外のスペースの点検口、収納部の蓋体等、種々に適用可能であり、いずれも、本発明の技術範囲に含まれる。
【図面の簡単な説明】
【００１５】
【図１】本発明にかかる蓋体の取付け構造を示す分解斜視図である。
【図２】蓋体を取付ける直前の状態を示す部分平断面図であり、蓋体が着脱自在とされていることを示す。
【図３】蓋体を取付けている途中段階の状態を示す部分平断面図であり、蓋体で開口部を覆う状態を示す。
【図４】蓋体と被取付け面との間に隙間が無くなるよう蓋体で点検口を覆った状態を示す部分平断面図。
【図５】上記取付け構造を備えた蓋体で浴室ユニットの点検口を覆った状態を示す斜視図である。
【符号の説明】
【００１６】
Ａ        本発明にかかる蓋体の取付け構造
１        ケーシング部
１１      上記を構成する枠体
１１１    上記前端部
１２      弾性係止片
２        係合部
２１      上記係合端
２２      上記支持端
３        蓋体取付けベース
４        面ファスナー
４１      面ファスナーの一方の構成体（ループ植設面）
４２      面ファスナーの他方の構成体（フック植設面）
５        蓋体
６        点検口
７        被取付け面
Ｂ        固定用ビス
【図１】
2005176882.tif 000003
【図２】
2005176882.tif 000004
【図３】
2005176882.tif 000005
【図４】
2005176882.tif 000006
【図５】
2005176882.tif 000007